(57)【特許請求の範囲】
【請求項１】
表裏の、矩形状の可撓性シートを重ね合わせて一方の互いに隣接する二辺を閉塞端、他方の互いに隣接する二辺を開放端としたフォルダー主体を備え、該フォルダー主体の前記表側の可撓性シートの表面の開放端側に、該開放端と並行してスリットと貼付用目印を、スリットを前記開放端側にして設けると共に、該スリットを通じて前記表側の可撓性シートの表面に重なり合う矩形状の見出し片の、再剥離可能な粘着剤層を設けた一端部を、前記貼付用目印部に貼り付けた、書類フォルダー。
【請求項２】
開放端側の貼付用目印と、該開放端側の貼付用目印に対して適宜の間隔を置いて配した閉塞端側の貼付用目印を備え、前記開放端側の貼付用目印位置に一端側を粘着剤層を利用して貼り付けたときの見出し片の他端側を、フォルダー本体の前記開放端より前記適宜の間隔と同幅に突出する、見出し事項の表示部とした、請求項１記載の書類フォルダー。
【請求項３】
スリットの両端部を互いに同方向に曲げた折曲部とした、請求項１又は２記載の書類フォルダー。
【請求項４】
貼付用目印部に、見出し片の一端側の両隅部を差し込む傾斜スリットを設けた、請求項１乃至３のうちいずれか１項記載の書類フォルダー。
【発明の詳細な説明】
【技術分野】
【０００１】
本発明は、表裏の矩形状の可撓性シート（通常、透明な樹脂シートで成る）を重ね合わせて、一方の互いに隣接する二辺を閉塞端、他方の互いに隣接する他の二辺を開放端としたフォルダー主体を備え、該フォルダー主体の表裏のシート間に、開放端側より書類を挿入して保持するようにした書類フォルダーに関するものである。
【背景技術】
【０００２】
前記構成の書類フォルダーは、フォルダー主体に見出し片を取付けて、書類の分類や検索に用いる場合がある。そして、この見出し片をフォルダー本体に取付ける手段として、例えば、フォルダー本体の閉塞端に対向してスリットと舌部片を設け、見出し片の一端部をスリットより表裏の可撓性シート間に挿入して前記の閉塞端に係止させ、見出し片の他端部を前記舌部片と該舌部片を連設した表側可撓性シート間に挟入するようにした構造のものがある（例えば、特許文献１）。
【先行技術文献】
【特許文献】
【０００３】
【特許文献１】実開平０３−４２６７１号公報
【発明の概要】
【発明が解決しようとする課題】
【０００４】
前記従来構造の書類フォルダーは、見出し片を表側の可撓性シートに設けたスリットを通じてフォルダー本体内に差し込み、差し込んだ側の一端部をフォルダー本体の閉塞端に係止させ、他端部を表側の可撓性シートと該シートに設けた舌片に挟持させてフォルダー本体に対する見出し片の取付け状態の安定性を図ろうとするものであるが、構造上、書類を挟持するために舌片の弾性を利用する必要があり、従って、適用するフォルダー本体の材質に制約を受け、また、書類を納める空間域を構成する表裏の可撓性シート間の奥端（前記閉塞端）に見出し片（の一部）が存在することになるので、該見出し片が邪魔になって表裏の可撓性シート間に書類を納めにくくなり、使用勝手上、必ずしも万全とはいえない。
【０００５】
本発明は、フォルダー本体に見出し片を確実に組付け、使用勝手上、好適な書類フォルダーを提供すべく創案したものである。
【課題を解決するための手段】
【０００６】
表裏の、矩形状の可撓性シートを重ね合わせて一方の互いに隣接する二辺を閉塞端、他方の互いに隣接する二辺を開放端としたフォルダー主体を備え、該フォルダー主体の前記表側の可撓性シートの表面の開放端側に、該開放端と並行してスリットと貼付用目印を、スリットを前記開放端側にして設けると共に、該スリットを通じて前記表側の可撓性シートの表面に重なり合う矩形状の見出し片の、再剥離可能な粘着剤層を設けた一端部を、前記貼付用目印部に貼り付けたことを基本的手段とする。
【０００７】
この基本的手段に開放端側の貼付用目印と、該開放端側の貼付用目印に対して適宜の間隔を置いて配した閉塞端側の貼付用目印を備え、前記開放端側の貼付用目印位置に一端側を粘着剤層を利用して貼り付けたときの見出し片の他端側を、フォルダー本体の前記開放端より前記適宜の間隔と同幅に突出する、見出し事項の表示部とした点を付加することにより、見出し片の一端側を閉塞端側の貼付用目印に貼り付けることにより見出し片の他端側がフォルダー本体の面内に必要に応じて納めておくことができる、すなわち、見出し片をフォルダー本体の面内に納めて配置したり、面外へ突出させて配置し、その配置状態を確実に維持し、見出し片を使い分けできる書類フォルダーを提供できる。また、スリットの両端部を互いに同方向に曲げた折曲部とした構成を付加することにより、スリットで区画する舌状片がフォルダー本体に形成され、該舌状片によってスリットを拡開できるから、スリットを通じる見出し片のフォルダー本体に対する組付け作業を円滑に行うことができ、更に、貼付用目印部に、見出し片の一端側の両隅部を差し込む傾斜スリットを設けた点を付加することにより、経時変化や誤作業によって粘着力の乏しい見出し片や粘着剤層を省略した見出し片でも傾斜スリットを利用してフォルダー本体に組付けられ、実用的な書類フォルダーを提供することができる。
【発明の効果】
【０００８】
本発明によれば、フォルダー本体と見出し片とで成るものであるから、見出し片を用いることにより、本体内の書類内容を容易に把握できる書類フォルダーを提供することができることは勿論、見出し片は本体に貼付用目印を基準にして剥離自在に貼り付けて用いるものであるから、見出し付書類フォルダーとして見栄えの良いものを提供でき、見出し片の着脱操作を容易に行え、しかも、一端側はスリットを通じてフォルダー本体内に納まり、他端側は粘（接）着したものであるからずれることがなく、見出し片のフォルダー本体に対する取付け状態が安定した、適用上制約のない、使用勝手の良好な書類フォルダーを提供できる。
【図面の簡単な説明】
【０００９】
【図１】正面図。
【図２】見出し片を可撓性シート内に収めた状態の一部正面図。
【図３】図１のｘ−ｘ線拡大断面図。
【図４】他の実施例を示す一部正面図。
【図５】もう一つ他の実施例を示す一部正面図。
【図６】さらに他の実施例を示す一部正面図。
【実施例】
【００１０】
図面は本発明に係る書類フォルダーの実施例を示し、以下、図１乃至図３で示す実施例につき説明し、該実施例と相違する点を備えた実施例を図４乃至図６で示すこととする（同じ点は同一符号で示す）。
【００１１】
本発明に係る書類フォルダーＡは、フォルダー主体１と該フォルダー主体１に組付けた見出し片２とで構成する。
【００１２】
フォルダー主体１は、表裏の可撓性シート３，４を重ね合わせて、一方の、互いに隣接する長片と短片の二辺を閉塞端１ａ，１ｂ、他方の、互いに隣接する二辺を開放端１ｃ，１ｄとしたもので、樹脂シートを二つ折りにして、該折目部分で構成する閉塞端を前記符号１ａで示す閉塞端とし、該閉塞端１ａの、一端側の一方の短辺同士を互いに熔着して前記符号１ｂで示す閉塞端とし、これら閉塞端１ａ，１ｂに対応する開放端を、前記符号１ｃ，１ｄで示す開放端としたものであるが、互いに別体の矩形状の、一対の樹脂シートの二辺を溶着するようにして得ても良いし、表裏の可撓性シート３，４の間に他の中間のシートを介在させても不都合はないし、可撓性シート３，４は、透明、半透明或いは不透明であっても本発明の実施に必ずしも不都合はない。
【００１３】
このフォルダー主体１の、前記表側の可撓性シート３（ここで表側の可撓性シートとは、フォルダー本体１内に書類を出入させる際にめくる側のシートをいい、実施例の場合前記開放端１ｃに、内部の書類を取出し易くするための切欠５と、めくることによる裂傷を防ぐ切欠６をそれぞれ設けてある）の一方の前記開放端１ｃ側に、開放端１ｃと離開幅ａを置いて該開放端１ｃに並行するスリット７を設け、スリット７は開放端１ｃに平行する直線部７ａと、該直線部７ａの両端を可撓性シート３の面内方向に互いに同方向に折れ曲がり状にして設けた折曲部７ｂ，７ｂとで成り、舌状片８を構成する。
【００１４】
このスリット７の面内側には、スリット７を通じた前記見出し片２の端部の再剥離可能な粘着剤層２ａを貼り付ける個所を示す第一、第二の貼付用目印９Ａ，９Ｂを設け、第一、第二の貼付用目印９Ａ，９Ｂは、その離開幅ｃと第一貼付用目印９Ａに一端側を貼り付けたときの前記見出し片２の、前記可撓性シート３からの突出幅ｂが一致するように配され、見出し片２の一端側を第二貼付用目印９Ｂ位置に貼り付けたとき、該見出し片２の他端側は前記開放端１ｃより突出することなく、可撓性シート３内に納まるようになっている。
【００１５】
そして、可撓性シート３（フォルダー主体１）から突出幅ｂ分突出する見出し片２の突出部分を見出し事項ｍの表示部２ｂとして用いるようにしてある。すなわち、見出し事項の表示部２ｂは可撓性シート３の開放端１ｃ（又は１ｄ）から突出するようにしてある。
【００１６】
実施例の貼付用目印９Ａ，９Ｂは、それぞれ左右一対の、鉤かっこ状の記号図形で構成するが、要は、見出し片２を貼り付けるための目安となれば良いのであるから、単に直線で示す等実施例の態様にこだわる必要はない。第二貼付用目印９Ｂは省略しても、本発明の実施する上に必ずしも不都合はない。
【００１７】
因みに、実施例の貼付用目印９Ａ，９Ｂは、表側の可撓性シート３を所謂「空押し」して形成したが、その形成手段は、印刷、切目等の種々の手段を自在に選択して良いし、裏側の可撓性シート４に設けるようにしても良い（この場合は見出し片２を貼り付ける表側のシート３を通じて裏側の可撓性シート４に施した目印が透視できなければならない。従って、表側の可撓性シート３は透明又は半透明な素材で成ることになる）。
【００１８】
なお、前記貼付用目印９Ａ，９Ｂに重なり合うようにして傾斜スリット１０Ａ，１０Ｂを設け、該傾斜スリット１０Ａ，１０Ｂに、経時変化などにより層設した粘着剤層２ａが機能しなくなった見出し片２を、隅部を差し込むようにして保持することができる（図６）。もとより、粘着剤（アクリル系又はゴム系の）層２ａを省略した見出し片を、この傾斜スリット１０Ａ，１０Ｂ（貼付用目印９Ａ，９Ｂの代用にもなる）を利用してフォルダー主体１に組付けることができる。
【００１９】
そして、スリット７に表側の可撓性シート３の裏側から見出し片２を挿通させて（このとき、スリット７で形成される舌状片８を折り返すようにすると、スリット７が拡げられ、見出し片２の挿通作業を円滑に行うことができる）、見出し片２に設けた粘着剤層２ａを第一貼付用目印９Ａ又は第二貼付用目印９Ｂを位置決め基準にして前記可撓性シート３に接（粘）着することにより、見出し付きの書類フォルダーを得ることができる。
【００２０】
なお、実施例は一方の閉塞端１ａ側に見出し片２を配するようにしているが、該閉塞端１ａに隣接する他方の閉塞端１ｂ側に配するようにしても良く（図４）、複数のスリット７を設け（スリット７に準じて貼付用目印９Ａ，９Ｂを設けて）、該スリットの数に対応した複数の見出し片を用いるようにしても良い（図５）。
【符号の説明】
【００２１】
１          フォルダー主体
２          見出し片
３，４      可撓性シート
７          スリット
９Ａ，９Ｂ  貼付用目印部
【図１】
0005450245.tif 000002
【図２】
0005450245.tif 000003
【図３】
0005450245.tif 000004
【図４】
0005450245.tif 000005
【図５】
0005450245.tif 000006
【図６】
0005450245.tif 000007